(57)【要約】【課題】紫外線が過度に漏れるのを防止するヒドロキシルラジカル生成器を提供すること。【解決手段】ヒドロキシルラジカル生成器は、シェード組立体と、該シェード組立体に取り付けられた紫外線発生器とを含む。前記シェード組立体は、２つの端蓋と、それぞれが前記端蓋間に取り付けられた複数のシェードであって、１つのシェードが他のシェードを覆うように同軸的に配置された複数のシェードとを有する。各シェードは、表面と、２つの端縁部と、それぞれが前記シェードを貫いて形成された複数の通気穴と、前記シェードの前記表面に取り付けられた光触媒コーティングとを有する。隣接する２つのシェードの一方に設けられた通気穴と前記隣接する２つのシェードの他方に設けられた通気穴とは互いに位置をずらして配置されている。【選択図】図１
0003122916.tif 000002
【実用新案登録請求の範囲】
【請求項１】
２つの端蓋とそれぞれが該端蓋間に取り付けられた複数のシェードとを有するシェード組立体と、該シェード組立体に取り付けられた、運転時に紫外線を発生させる紫外線発生器であって、それぞれが前記端蓋に固定された２つの端部を有する紫外線発生器とを含み、前記シェードは、１つのシェードが他のシェードを覆うように同軸的に配置されており、各シェードは、表面と、２つの端縁部と、それぞれが前記シェードを貫いて形成された複数の通気穴と、前記シェードの前記表面に取り付けられた光触媒コーティングとを有し、隣接する２つのシェードの一方に設けられた通気穴と前記隣接する２つのシェードの他方に設けられた通気穴とは互いに位置をずらして配置されている、ヒドロキシルラジカル生成器。
【請求項２】
各通気穴は縁部を有し、各シェードは、それぞれが前記通気穴の前記縁部から伸びかつ傾斜する複数の反射タブを有する、請求項１に記載のヒドロキシルラジカル生成器。
【請求項３】
各シェードは２つの半分体を含み、各通気穴は細長い形状を有する、請求項２に記載のヒドロキシルラジカル生成器。
【請求項４】
各シェードは円筒形であり、各通気穴は円形である、請求項１に記載のヒドロキシルラジカル生成器。
【請求項５】
各端蓋は、それぞれが前記端蓋を貫いて形成された複数の取り付け用スロットを有し、各シェードは、それぞれが前記シェードの前記端縁部から伸びかつ前記取り付け用スロットに固定された複数の取り付け用タブを有する、請求項１に記載のヒドロキシルラジカル生成器。
【請求項６】
各端蓋は、それぞれが前記端蓋を貫いて形成された複数の取り付け用スロットを有し、各シェードは、それぞれが前記シェードの前記端縁部から伸びかつ前記取り付け用スロットに固定された複数の取り付け用タブを有する、請求項２に記載のヒドロキシルラジカル生成器。
【請求項７】
前記光触媒コーティングは二酸化チタンから成る、請求項２に記載のヒドロキシルラジカル生成器。
【請求項８】
各端蓋は、それぞれが前記端蓋を貫いて形成された複数の取り付け用スロットを有し、前記シェードは、２つの端縁部とそれぞれが前記シェードの一方の端縁部から伸びかつ一方の端蓋の前記取り付け用スロットに固定された複数の取り付け用タブとそれぞれが前記シェードの他方の端縁部に形成された複数の取り付け用ノッチとを有する内側シェードと、２つの端縁部とそれぞれが前記端蓋の前記取り付け用スロットに固定された複数の取り付け用タブとを有する外側シェードと、前記内側シェードと前記外側シェードとの間に位置する複数の中間シェードとを含み、該中間シェードのうちの最も内側に位置するものは、それぞれが一方の端縁部に形成されかつ前記内側シェードの前記取り付け用ノッチに固定された複数の取り付け用フックを有し、隣接する２つの中間シェードは互いに留め具で固定されており、前記留め具は、それぞれが前記隣接する２つの中間シェードのうちの内側に位置する中間シェードの一方の端縁部に形成された複数の取り付け用ノッチと、それぞれが前記隣接する２つの中間シェードのうちの外側に位置する中間シェードの一方の端縁部に形成されかつ前記内側に位置する中間シェードの前記取り付け用ノッチに固定された複数の取り付け用フックとを有する、請求項１に記載のヒドロキシルラジカル生成器。
【考案の詳細な説明】
【技術分野】
【０００１】
本考案は、紫外線が過度に漏れるのを防止するヒドロキシルラジカル（ＯＨ）生成器に関する。
【背景技術】
【０００２】
人々は、毎日、比較的長時間室内にいる。室内の空気の質は人々の健康に影響を与える。ホルムアルデヒド、ベンゼン及びアンモニアのような有機化合物、塗料、靴及びカーペットの臭い、かび、細菌は、室内の空気の質を悪化させ、人々に不快感を与える。
【０００３】
このため、室内の空気を浄化し、室内で人々が健康的に過ごせるようにするためにヒドロキシルラジカル生成器が開発された。従来のヒドロキシルラジカル生成器は紫外線（ＵＶ）発生器とシェードとを有する。前記シェードは、二酸化チタン（ＴｉＯ２）から成る光触媒コーティングで覆われており、前記紫外線発生器を部分的に覆っている。前記紫外線発生器が作動すると、細菌やかびを分解し、また、靴、服、家具等の臭気を除去するヒドロキシルラジカルを生成させるように、二酸化チタンは、前記紫外線発生器から放射された紫外線を吸収し、空気中の水分子（Ｈ２Ｏ）と反応する。
【考案の開示】
【考案が解決しようとする課題】
【０００４】
前記ヒドロキシルラジカル生成器は、前記紫外線発生器で発生させた紫外線の一部が前記シェードを通過し、近くの人々に放射される。これにより、人々が不快感を覚えたり、皮膚病を患うという問題が生じる。
【０００５】
本考案は、上記の問題を軽減し又は防止するヒドロキシルラジカル生成器を提供する。
【０００６】
本考案の目的は、紫外線が過度に漏れるのを防止するヒドロキシルラジカル生成器を提供することである。
【課題を解決するための手段】
【０００７】
本考案に係るヒドロキシルラジカル生成器はシェード組立体と紫外線発生器とを含む。
【０００８】
前記シェード組立体は、２つの端蓋と、それぞれが前記端蓋間に取り付けられた複数のシェードであって、１つのシェードが他のシェードを覆うように同軸的に配置された複数のシェードとを有する。各シェードは、表面と、２つの端縁部と、それぞれが前記シェードを貫いて形成された複数の通気穴と、前記シェードの前記表面に取り付けられた光触媒コーティングとを有する。隣接する２つのシェードの一方に設けられた通気穴と前記隣接する２つのシェードの他方に設けられた通気穴とは互いに位置をずらして配置されている。
【０００９】
前記紫外線発生器は、前記シェード組立体に取り付けられており、前記紫外線発生器の運転時に紫外線を発生させる。
【００１０】
本考案の他の目的、利点および新規な特徴は、添付の図面に関しての以下の詳細な説明からより明らかになる。
【考案を実施するための最良の形態】
【００１１】
図１、２を参照すると、本考案の第１の実施例に係るヒドロキシルラジカル（ＯＨ）生成器はシェード組立体３０と紫外線（ＵＶ）発生器１０とを含む。
【００１２】
シェード組立体３０は２つの端蓋３７と１組のシェードとを有する。
【００１３】
各端蓋３７は、それぞれが前記端蓋を貫いて形成された取り付け穴３７１及び複数の取り付け用スロット３７２を有する。
【００１４】
前記シェードは、図３に示すように、１つのシェードが他のシェードを覆うように同軸的に配置されており、各シェードは端蓋３７間に取り付けられている。各シェードの横断面形状は長方形であり、各シェードは、それぞれがＬ字形の横断面形状を有する２つの半分体３１、３２、３３、３４を含む。また、各シェードは、表面と、２つの端縁部と、複数の取り付け用タブ３０１と、複数の通気穴３０２と、複数の反射用タブ３０３と、光触媒コーティング３０４とを有する。
【００１５】
各取り付け用タブ３０１は、前記シェードの前記端縁部から伸び、端蓋３７の取り付け用スロット３７２に取り付けられている。
【００１６】
各通気穴３０２は、細長い形状を有し、前記シェードを貫いて形成されており、ヒドロキシルラジカルを含むシェード組立体３０内の空気は通気穴３０２を通過する。各通気穴３０２は縁部を有する。紫外線が通気穴３０２を通過するときに前記紫外線が部分的に濾過され、弱められるように、隣接する２つのシェードの一方に設けられた通気穴３０２と前記隣接する２つのシェードの他方に設けられた通気穴３０２とは互いに位置をずらして配置されている。したがって、シェード組立体３０内の紫外線がシェード組立体３０から放射されることは殆どない。このため、前記紫外線が人々に害を与えることはない。
【００１７】
各反射用タブ３０３は、通気穴３０２の前記縁部から伸びかつ傾斜している。各反射用タブ３０３は、シェード組立体３０の中心部で発生した紫外線がシェード組立体３０から漏れないように前記紫外線を反射する。
【００１８】
光触媒コーティング３０４は、図３Ａに示すように、前記シェードの前記表面に取り付けられており、二酸化チタン（ＴｉＯ２）から成る。光触媒コーティング３０４は、細菌やかびを分解し、また、靴、服、家具等の臭気を取り除くヒドロキシルラジカルを生成させるように、前記紫外線を吸収し、空気中の水分子（Ｈ２Ｏ）と反応する。
【００１９】
紫外線発生器１０は、シェード組立体３０に取り付けられ、紫外線発生器１０の運転時に紫外線を発生させる。紫外線発生器１０は、それぞれが端蓋３７の取り付け穴３７１に取り付けられた２つの端部を有する。
【００２０】
紫外線発生器１０から発生した紫外線は、各シェードの光触媒コーティング３０４に放射され、細菌やかびの分解及び臭気の除去を行うヒドロキシルラジカルを生成させるように二酸化チタンと反応する。なお、前記シェードが同軸的に配置されていること、隣接する２つのシェードの一方に設けられた通気穴３０２と前記隣接する２つのシェードの他方に設けられた通気穴３０２とが互いに位置をずらして配置されていることにより、前記紫外線がシェード組立体３０から漏れることは殆どない。
【００２１】
第２の実施例に係るヒドロキシルラジカル生成器は、図４ないし６に示すように、第１の実施例と異なるシェード組立体４０を有する。
【００２２】
シェード組立体４０は、１つのシェードが他のシェードを覆うように同軸的に配置された１組のシェード４１、４２、４３、４４を有する。各シェード４１、４２、４３、４４は、円筒形であり、光触媒コーティング４０４で覆われており、複数の通気穴４０２を有する。各通気穴４０２は、円形であり、シェード４１、４２、４３、４４を貫いて形成されている。シェード組立体４０内の紫外線が該シェード組立体から漏れることがないように、隣接する２つのシェードの一方に設けられた通気穴４０２と前記隣接する２つのシェードの他方に設けられた通気穴４０２とは互いに位置をずらして配置されている。
【００２３】
第３の実施例に係るヒドロキシルラジカル生成器は、図７に示すように、第１、２の実施例と異なるシェード組立体３０ａを有する。
【００２４】
シェード組立体３０ａは、２つの端蓋３７、３７ａと、１つのシェードが他のシェードを覆うように同軸的に配置された１組のシェードとを有する。前記シェードは内側シェードと外側シェードと複数の中間シェードとを有する。
【００２５】
前記内側シェードは、２つの半分体３１ａと２つの端縁部と複数の取り付け用タブ３０１と複数の取り付け用ノッチ３０５とを含む。各取り付け用タブ３０１は、前記内側シェードの一方の端縁部から伸び、一方の端蓋３７の取り付け用スロット３７２に取り付けられている。各取り付け用ノッチ３０５は前記内側シェードの他方の端縁部に形成されている。
【００２６】
前記外側シェードは、第１の実施例における各シェードと同様に、２つの半分体３４を含む。
【００２７】
前記中間シェードは前記内側シェードと前記外側シェードとの間に位置し、各中間シェードは２つの半分体３２ａ、３３ａを含む。前記中間シェードのうちの最も内側に位置するものは、それぞれが前記中間シェードの一方の端縁部に形成されかつ前記内側シェードの取り付け用ノッチ３０５に固定された複数の取り付け用フック３０６を有する。隣接する２つの中間シェードは互いに留め具で固定されている。前記留め具は複数の取り付け用ノッチ３０５と複数の取り付け用フック３０６とを有する。各取り付け用ノッチ３０５は、前記隣接する２つの中間シェードのうち、内側に位置する中間シェードの一方の端縁部に形成されている。各取り付け用フック３０６は、前記隣接する２つの中間シェードのうち、外側に位置する中間シェードの一方の端縁部に形成されており、前記隣接する２つの中間シェードのうち、内側に位置する中間シェードの取り付け用ノッチ３０５に固定されている。
【００２８】
第４の実施例に係るヒドロキシルラジカル生成器は、図８に示すように、第１ないし３の実施例と異なるシェード組立体４０ａを有する。
【００２９】
シェード組立体４０ａは、２つの端蓋３７、３７ａと、１つのシェードが他のシェードを覆うように同軸的に配置された１組のシェード４１ａ、４２ａ、４３ａ、４４ａとを有する。シェード４１ａ、４２ａ、４３ａ、４４は、第３の実施例と同様に、内側シェード４１ａと外側シェード４４と複数の中間シェード４２ａ、４３ａとを有する。
【００３０】
内側シェード４１ａは複数の取り付け用ノッチ４０５を有する。
【００３１】
外側シェード４４は第２の実施例におけるシェード４４と同じである。
【００３２】
各中間シェード４２ａ、４３ａは、第３の実施例と同様に、複数の取り付け用フック４０６を有する。隣接する２つの中間シェード４２ａ、４３ａのうち、内側に位置する中間シェード４２ａは、取り付け用フック４０６に対応する複数の取り付け用ノッチ３０５を有する。
【００３３】
第５の実施例に係るヒドロキシルラジカル生成器は、図９に示すように、第１ないし４の実施例と異なるシェード組立体４０ｂを有する。シェード組立体４０ｂは、１組のシェード４１、４２、４３と２つの端蓋４５、４６と保持用カラー４７とを有する。一方の端蓋４６は、環状であり、内縁部と複数の切り欠き４６１と複数の保持用タブ４６２とを有する。各切り欠き４６１は前記内縁部に形成されており、最も外側に位置するシェード４３の一方の端縁部の取り付け用タブを受け入れる。各保持用タブ４６２は、前記内縁部から伸び、湾曲し、最も外側に位置するシェード４３の内面を押さえる。保持用カラー４７は、最も内側に位置するシェード４１に取り付けられており、それぞれが最も内側に位置するシェード４１の一方の端縁部の取り付け用タブを受け入れる複数の取り付け用スロットを有する。
【００３４】
図示の例において、隣接する２つのシェードの一方に設けられた通気穴３０２、４０２と前記隣接する２つのシェードの他方に設けられた通気穴３０２、４０２とが互いに位置をずらして配置されていることにより、前記ヒドロキシルラジカル生成器の運転時に前記紫外線が漏れるのを効率よく防止することができる。したがって、前記ヒドロキシルラジカル生成器は、安全であり、人々に害を与えることはない。
【図面の簡単な説明】
【００３５】
【図１】本考案の第１の実施例に係るヒドロキシルラジカル生成器の斜視図。
【図２】本考案の第１の実施例に係るヒドロキシルラジカル生成器の分解斜視図。
【図３】本考案の第１の実施例に係るヒドロキシルラジカル生成器の断面図。
【図３Ａ】本考案の第１の実施例に係るヒドロキシルラジカル生成器の拡大断面図。
【図４】本考案の第２の実施例に係るヒドロキシルラジカル生成器の斜視図。
【図５】本考案の第２の実施例に係るヒドロキシルラジカル生成器の分解斜視図。
【図６】本考案の第２の実施例に係るヒドロキシルラジカル生成器の断面図。
【図７】本考案の第３の実施例に係るヒドロキシルラジカル生成器の分解斜視図。
【図８】本考案の第４の実施例に係るヒドロキシルラジカル生成器の分解斜視図。
【図９】本考案の第５の実施例に係るヒドロキシルラジカル生成器の分解斜視図。
【符号の説明】
【００３６】
１０    紫外線発生器
３０、３０ａ、４０、４０ａ、４０ｂ    シェード組立体
３１、３２、３２ａ、３３、３３ａ、３４    半分体
３７、３７ａ、４５、４６    端蓋
４１、４１ａ、４２、４２ａ、４３、４３ａ、４４    シェード
４１ａ    内側シェード
４２ａ、４３ａ    中間シェード
４４    外側シェード
３０１    取り付け用タブ
３０２、４０２    通気穴
３０３    反射用タブ
３０４、４０４    光触媒コーティング
３０５、４０５    取り付け用ノッチ
３０６、４０６    取り付け用フック
３７２    取り付け用スロット
【図１】
0003122916.tif 000003
【図２】
0003122916.tif 000004
【図３】
0003122916.tif 000005
【図３Ａ】
0003122916.tif 000006
【図４】
0003122916.tif 000007
【図５】
0003122916.tif 000008
【図６】
0003122916.tif 000009
【図７】
0003122916.tif 000010
【図８】
0003122916.tif 000011
【図９】
0003122916.tif 000012